(57)【要約】【課題】情報処理装置において、画像データの分類作業を簡略化するとともに分類作業に要する時間を短縮することである。【解決手段】ＣＰＵ１１は、第１の実施の形態において、分類対象の画像を表示装置１２の画面上に表示させ、画面上が押下されたことを検出すると、その位置に応じて画像データに第１分類データと第２分類データを付加することによって画像データを分類する。また、ＣＰＵ１１は、第２の実施の形態において、分類対象の画像を画面上に表示させ、画面上が押下されると、画像の表示サイズを拡大又は縮小する。そして、表示サイズに応じて画像データを分類する。また、ＣＰＵ１１は、第１の実施の形態及び第２の実施の形態において、画像データの分類結果を画像データ管理テーブル１４Ａ又は１４Ｂに記憶させる。【選択図】          図２
2004164412.tif 000002
【特許請求の範囲】
【請求項１】
画像データを画面上に表示する表示手段と、
前記画面上の位置が指定される指定位置のデータを入力する入力手段と、
前記画像データごとの分類情報を記憶する分類情報記憶手段と、
前記入力手段によって入力された指定位置に応じて前記分類情報を変更する分類情報変更手段と、
前記分類情報を前記分類情報記憶手段から読み出し、前記分類情報に基づく優先順位に従った配列で前記各画像データを前記表示手段の画面上に表示させる表示制御手段と、
を備えたことを特徴とする情報処理装置。
【請求項２】
前記表示制御手段は、前記画像データと該画像データの分類情報を前記表示手段の画面上に表示させることを特徴とする請求項１記載の情報処理装置。
【請求項３】
前記表示手段の画面上に表示された画像データの表示位置と前記指定位置とを比較するとともに、前記表示手段の画面上に表示された分類情報の表示位置と前記指定位置とを比較する比較手段を有し、
前記分類情報変更手段は、前記比較手段の比較結果に基づき前記指定位置が前記画像データの表示位置内に含まれると判別した場合に、前記優先順位を高く設定するように分類情報を変更し、前記比較手段の比較結果に基づき前記指定位置が前記分類情報の表示位置内に含まれると判別した場合に、前記優先順位を低く設定するように分類情報を変更することを特徴とする請求項２記載の情報処理装置。
【請求項４】
前記表示手段の画面上に表示された画像データの表示位置と前記指定位置とを比較するとともに、前記表示手段の画面上に表示された分類情報の表示位置と前記指定位置とを比較する比較手段を有し、
前記分類情報変更手段は、前記比較手段の比較結果に基づき前記指定位置が前記画像データの表示位置内に含まれると判別した場合に、前記優先順位を低く設定するように分類情報を変更し、前記比較手段の比較結果に基づき前記指定位置が前記分類情報の表示位置内に含まれると判別した場合に、前記優先順位を高く設定するように分類情報を変更することを特徴とする請求項２記載の情報処理装置。
【請求項５】
前記指定位置に基づいて前記表示中の画像データの表示サイズを変更する表示サイズ変更手段を備え、
前記分類情報変更手段は、前記画像データの分類情報を前記表示サイズに応じた値に変更することを特徴とする請求項１又は２記載の情報処理装置。
【請求項６】
前記記憶手段は、所定形状のデータを記憶し、
前記分類情報変更手段は、前記指定位置の軌跡が前記所定形状のデータと一致すると判別した場合に、前記優先順位を高く又は低く設定するように分類情報を変更することを特徴とする請求項１又は２記載の情報処理装置。
【請求項７】
前記画像データの分類情報を消去する分類情報消去手段を備えることを特徴とする請求項１〜６の何れか一項に記載の情報処理装置。
【請求項８】
前記分類情報変更手段は、前記分類情報が設定された各画像データに対して、さらに前記指定位置に応じて前記分類情報の下位の分類情報である下位分類情報の変更を行い、
前記分類情報記憶手段は、前記画像データごとの前記分類情報及び前記下位分類情報を記憶し、
前記表示制御手段は、前記分類情報及び前記下位分類情報を前記分類情報記憶手段から読み出し、前記分類情報及び前記下位分類情報に基づく優先順位に従った配列で、前記表示手段の画面上に表示させることを特徴とする請求項１〜７の何れか一項に記載の情報処理装置。
【請求項９】
画像データを表示手段の画面上に表示させる工程と、
前記画面上の位置が指定される指定位置のデータを入力する工程と、
前記画像データごとの分類情報を記憶する工程と、
前記入力手段によって入力された指定位置に応じて前記分類情報を変更する工程と、
前記分類情報を前記分類情報記憶手段から読み出し、前記分類情報に基づく優先順位に従った配列で前記各画像データを前記表示手段の画面上に表示させる工程と、
を含むことを特徴とする情報処理方法。
【請求項１０】
コンピュータに、
画像データを表示手段の画面上に表示させる機能と、
前記画面上の位置が指定される指定位置のデータを入力する機能と、
前記画像データごとの分類情報を記憶する機能と、
前記入力手段によって入力された指定位置に応じて前記分類情報を変更する機能と、
前記分類情報を前記分類情報記憶手段から読み出し、前記分類情報に基づく優先順位に従った配列で前記各画像データを前記表示手段の画面上に表示させる機能と、
を実現させるためのプログラム。
【発明の詳細な説明】
【０００１】
【発明の属する技術分野】
本発明は、画像データを分類する情報処理装置、及び情報処理方法、並びにプログラムに関する。
【０００２】
【従来の技術】
従来、デジタルカメラで撮影するなどして得られた画像データを、そのデジタルカメラ上で、あるいはＰＣ（Ｐｅｒｓｏｎａｌ  Ｃｏｍｐｕｔｅｒ）やＰＤＡ（Ｐｅｒｓｏｎａｌ  Ｄｉｇｉｔａｌ  Ａｓｓｉｓｔａｎｔ）などの他の情報機器上で分類する情報処理方法や、その方法を利用した情報処理装置が開発されている。例えば、日付毎のフォルダを作成して、画像データを撮影日に対応する日付のフォルダに格納することによって画像データを自動的に分類する情報処理方法が提案されている（例えば、特許文献１参照）。
【０００３】
また、画像データを分類する他の情報処理方法として、従来の情報処理装置では、表示手段の画面上に画像データのサムネイルを表示させておき、ユーザが分類対象の画像データを選択すると、その画像データをどこに分類するかなどといったデータを入力するためのポップアップウィンドウを画面上に表示させ、ユーザによってポップアップウィンドウ内に入力されたデータに応じて画像データを分類するといった方法も用いられていた。
【０００４】
【特許文献１】
特開２００１−５４０４１号公報
【０００５】
【発明が解決しようとする課題】
しかしながら、分類対象の画像データの数が多いと画像データのサムネイルが一画面に表示しきれなかったり、複数の頁にわたって表示されたりしてしまうため、上記のような従来の情報処理装置においては、画面をスクロールしたり複数の頁の間で表示を切り替えてからサムネイルを他のフォルダに移動させるなどの方法で分類しなければならず、複数の頁を何度も行き来するような操作が必要になるなど作業が煩雑であり、時間がかかるという問題があった。
【０００６】
特に、ＰＤＡ等の携帯情報端末の場合は、表示画面が小さく、一度に表示できるサムネイルの数が制限されるため、頻繁に画面を切り替える必要があり、分類作業が更に煩雑になる。また、ＰＤＡを始めとする携帯情報端末においては、タッチパネルにペン型のポインティングデバイスによってデータ入力を行う構成のものが広く普及しており、マウスやキーボード等による入力が可能なＰＣと比較して入力操作回数が多くなり、分類作業に要する手間及び時間が更に増加するような場合もあった。
【０００７】
また、上述したような、画像データをその撮影された日に応じて自動的に分類する処理を行う情報処理装置においては、同じ日に撮影された画像は全て同じフォルダに分類されてしまうといった問題もあった。このため、これらの画像データをさらに細かく分類したいような場合にはユーザが自ら手動で分類操作を行わねばならず、例えば、表示手段の画面上にさらなる細分類用のフォルダを表示させ、フォルダ内の画像データをサムネイル表示させて、あるフォルダに格納された画像データをユーザが他のフォルダにドラッグ・アンド・ドロップして移動させるなどの方法によって再分類の操作を行う必要があった。
【０００８】
また、分類用のデータを入力するためのポップアップウィンドウを表示させる場合には、サムネイル上にポップアップウィンドウが重ねて表示されてサムネイルが見えなくなる場合があり、不便であった。
【０００９】
そこで、本発明の課題は、画像データの分類作業を直感的でわかりやすいものにするとともに分類作業に要する時間を短縮することが可能な情報処理装置、及び情報処理方法、並びにプログラムを提供することである。
【００１０】
【課題を解決するための手段】
請求項１記載の発明は、
情報処理装置装置において、
画像データを画面上に表示する表示手段と、
前記画面上の位置が指定される指定位置のデータを入力する入力手段と、
前記画像データごとの分類情報を記憶する分類情報記憶手段と、
前記入力手段によって入力された指定位置に応じて前記分類情報を変更する分類情報変更手段と、
前記分類情報を前記分類情報記憶手段から読み出し、前記分類情報に基づく優先順位に従った配列で前記各画像データを前記表示手段の画面上に表示させる表示制御手段と、
を備えることを特徴としている。
【００１１】
この請求項１記載の発明によれば、情報処理装置における画像データの分類作業を直感的でわかりやすいものにするとともに、分類作業に要する時間を短縮することが可能である。
【００１２】
【発明の実施の形態】
（第１の実施の形態）
＜携帯情報端末１の構成＞
図１は、本発明を適用した携帯情報端末１の機能的構成を示すブロック図である。携帯情報端末１は、例えばＰＤＡ等の携帯可能な情報端末であり、図１に示すように、ＣＰＵ（Ｃｅｎｔｒａｌ  Ｐｒｏｃｅｓｓｉｎｇ  Ｕｎｉｔ）１１、表示装置１２、操作入力部１２ａ、ＲＡＭ（Ｒａｎｄｏｍ  Ａｃｃｅｓｓ  Ｍｅｍｏｒｙ）１３、記憶装置１４を有し、各部はバス１５により相互にデータの送受信が可能なように接続されている。
【００１３】
ＣＰＵ１１は、記憶装置１４に記憶されている各種制御プログラムを読み出してＲＡＭ１３に展開する等して実行し、この制御プログラムに従って携帯情報端末１の各部を集中制御する。
【００１４】
表示装置１２は、ＬＣＤ（Ｌｉｑｕｉｄ  Ｃｒｙｓｔａｌ  Ｄｉｓｐｌａｙ）等により構成され、ＣＰＵ１１から入力される表示信号の指示に従って、ＣＰＵ１１により実行される各処理において処理中のデータ、処理結果のデータ、分類対象の画像データに基づく画像（以下、単に「分類対象の画像」という。）等を画面上に表示する。
【００１５】
操作入力部１２ａは、透明電極が配置された感圧式（抵抗膜圧式）の操作入力用のタッチパネルであり、表示装置１２の画面上に重畳されて設けられ、表示装置１２と一体化されている。表示装置１２の画面上に表示された画像は、タッチパネルを介して視認可能となっている。したがって、タッチパネルの材質としては、視認性の観点から光の透過率が高いものを使用することが望ましい。操作入力部１２ａは、手指や専用のタッチペン等で押された力点の位置座標を電圧値で検出し、検出された位置信号を押下位置データとしてＣＰＵ１１に出力する。また、操作入力部１２ａは、数字ボタンや各種設定を切り替える機能ボタン等を備えている。なお、タッチパネル１２ａとしては、アナログ式とデジタル式の双方を使用可能である。
【００１６】
ＲＡＭ１３は、入力データ及び処理結果の各種データを一時的に記憶するワークエリアを有する。また、ＲＡＭ１３は、以下に説明する分類対象データテーブル１３Ａを記憶するとともに、ＣＰＵ１１からの入力指示に従って操作入力部１２ａから入力される押下位置データ、画像表示位置データ、分類情報表示位置データ、表示枠表示位置データ等を記憶する。
【００１７】
図２は分類対象データテーブル１３Ａを示す図である。図２に示すように、分類対象データテーブル１３Ａには、分類対象の画像データのファイル名と、その第１分類データ及び第２分類データと、第１及び第２分類データの数値に基づいてＣＰＵ１１により決定される表示順が対応付けて記憶されている。
【００１８】
第１分類データ及び第２分類データの詳細については後述するが、本実施例では、例えば図５（ｂ）に示すような、各画像ごとに付けられた☆マークのことである。この☆マークは、ユーザが操作入力部１２ａを操作することによって１つずつ付加ないし削除される。そして各画像に☆マークが付けられた後にユーザが「並べ替え」ボタンを押すと、各画像ごとに附加されている☆マークの数により各画像が分類されるのである。
【００１９】
記憶装置１４は、プログラムやデータ等が予め記憶されている、ＲＯＭやハードディスク、フラッシュメモリ等の記憶媒体（図示せず）を有している。この記憶媒体は記憶装置１４に固定的に設けたものに限らず、例えばメモリーカードのような着脱自在に装着できるものであっても良い。この記憶媒体は、携帯情報端末１に対応する各種制御プログラム、第１分類処理プログラム、再分類処理プログラム、第２分類処理プログラムなどの各プログラム、複数の画像データ、画像データ管理テーブル１４Ａ（図３参照）などのデータ、および、これらの各プログラムに基づいてＣＰＵ１１により実行された処理の処理結果等の一時記憶データなどを記憶する。
【００２０】
図３は、記憶装置１４に記憶された画像データ管理テーブル１４Ａを示す図である。画像データ管理テーブル１４Ａは、記憶装置１４に記憶されている複数の画像データに関する情報を管理するためのテーブルである。図３に示すように、画像データ管理テーブル１４Ａには、記憶装置１４に記憶されている全画像データのファイル名と、画像データの撮影日時と、データサイズと、第１分類データ及び第２分類データの数値とが各画像データごとに対応付けて記憶されている。
【００２１】
以下、ＣＰＵ１１の機能について詳細に説明する。
ＣＰＵ１１は、操作入力部１２ａからの入力により分類対象の複数の画像データが指定されると、記憶装置１４内の画像データ管理テーブル１４Ａから指定された画像データに付加された分類データを読み出し、分類データの数値が大きい順に分類対象の画像データの表示順を決定する。分類対象の画像データに分類データが付加されていない場合は、画像データ管理テーブル１４Ａに記憶された編集日時やファイル名に基づいて画像データの表示順を決定する。
【００２２】
次いで、分類対象の画像データのファイル名と、表示順と、分類データをＲＡＭ１３内の分類対象データテーブル１３Ａ（図２参照）に記憶させる。また、分類対象の画像を分類対象データテーブル１３Ａに記憶された表示順で表示装置１２の画面上に表示させる。そして、記憶装置１４から第１分類処理プログラム、再分類処理プログラム、第２分類処理プログラムを読み出し、後述する第１分類処理、再分類処理、第２分類処理を実行する。
【００２３】
またＣＰＵ１１は、後述する各分類処理において、ユーザの操作入力に応じて画像データに第１分類データ及び第２分類データを付加し、この各分類データに基づいて画像データを分類する。第１分類データは画像データを大まかに分類するための数値データ（例えば０〜３の整数）であり、第２分類データは第１分類データにより分類された画像データを更に細かく分類するための数値データ（例えば０〜３の整数）である。ＣＰＵ１１は、例えば図７（ｂ）に示すように、表示装置１２に分類対象の画像を表示する際に、画像の近傍に第１分類データを☆マークで表示し、第２分類データを○マークで表示する。
【００２４】
第１分類データ及び第２分類データは、ユーザによる操作入力部１２ａでの入力によって決定される。各分類データの意味付けはユーザが任意に決定できる。例えば、分類データを各画像データの「重要度」を表すデータとして、最重要な画像データは「３」、重要な画像データは「２」、保存しておきたい画像データは「１」、不要な画像データは「０」のようにすることで、重要度を基準に画像データを分類できる。また例えば、分類データを各画像データを撮影した「イベント」を表すデータとすることもできる。この場合は、運動会で撮影された画像データは「３」、遠足で撮影された画像データは「２」、旅行で撮影されたデータは「１」、その他の画像データは「０」のように設定することで、イベント毎に画像データを分類することができる。なお、第１分類データ及び第２分類データの値は、０〜３に限らず、どのような範囲の値を用いても構わないし、第１分類データと第２分類データの値の範囲を異なるものとしても差し支えない。以下の説明では、その一例として、第１分類データ、第２分類データとも０〜３の値をとる場合を説明する。
【００２５】
さらにＣＰＵ１１は、分類対象の画像を表示装置１２の画面上に表示する場合には、画面上の画像データの表示位置を示すデータ（以下、画像表示位置データという。）と、分類データの表示位置を示すデータ（以下、分類情報表示位置データという。）と、画像データを表示させるための表示枠の表示位置を示すデータ（以下、表示枠表示位置データという。）をＲＡＭ１３に記憶させる。これは、後述するように、分類対象の画像を表示しているときにユーザが操作入力部１２ａを押下すると、その押下位置に応じて、☆や〇などの分類データの数を増加させたり減少させるなどの処理を選択的に実行するようにしているためである。
【００２６】
また、ＣＰＵ１１は、後述する各処理において、表示装置１２と一体的に設けられた操作入力部１２ａから押下信号が入力されると、操作入力部１２ａ上の押下位置を示すデータ（以下、押下位置データという。）を、上記の画像表示位置データ、分類情報表示位置データ、表示枠表示位置データの各データと比較して、画像上が押下されたか、分類データ上が押下されたか、表示枠内の画像データ上や分類データ上ではない領域が押下されたか、他の部分が押下されたかを判別し、この判別結果に基づいて画像データに付加する第１分類データ及び第２分類データを決定する。
【００２７】
ＣＰＵ１１は、第１分類処理において、分類対象の画像データに第１分類データを付加することにより画像データを分類する。第１分類処理としては、分類の対象となっている複数の画像データに基づく画像の表示のさせ方により、種々の方法が可能である。例えば、画像を画面上に１つずつ順に表示させて第１分類データをユーザに入力させるという処理も可能であるし、あるいは、画像をサムネイル等により一覧表示させて、第１分類データを入力させるといった処理も可能である。また、このいずれの方法によって第１分類データを入力するかを、ユーザが選択できるようにすることも可能である。この場合には、ＣＰＵ１１は、操作入力部１２ａからのユーザの指示入力に従って、この２処理のうちの指定された処理を実行する。
【００２８】
このようにすることによって、例えば、ユーザは、表示装置１２の画面の表示面積が小さい場合や分類対象の画像データ数が多い場合には画像を１つずつ表示させる処理を選択し、画面の表示面積が大きい場合や分類対象の画像データ数が少ない場合には画像を一覧表示させる処理を選択することができる。
【００２９】
ここで、図４及び図５を参照して、２種類の第１分類処理について具体的に説明する。図４には、分類対象の画像を１つずつ順に表示させて、ユーザに分類データの入力を行わせる場合が、図５には、分類対象の画像を一覧表示させて分類データの入力を行わせる場合が、それぞれ示してある。
【００３０】
図４は、分類対象の画像を、１つずつ順に表示させて分類する第１分類処理を説明するための画面遷移例を示す図である。ＣＰＵ１１は、例えばファイル名やファイルの撮影日時により順に画像を一つずつ表示する。また、その際ＣＰＵ１１は、この各画像データに付加された第１分類データを示すために例えば☆マークを、第１分類データの数だけ表示する。図４（ａ）では、第１分類データが「２」の場合の例を示している。さらにＣＰＵ１１は、この画像についての☆マークの個数の指定が終わったときにユーザが押下するための「確定」ボタンを表示させる（図４（ａ）参照）。ＣＰＵ１１は、操作入力部１２ａからの押下信号を検出し、画像Ａ上が押下されたと判別すると☆マークを１つ追加表示させ、第１分類データの値を１増加させる（図４（ｂ）参照）。一方、仮に☆マーク上が押下されたと判別すると、表示されている☆マークの数を一つ減少させて、第１分類データの値を１減少させる。
【００３１】
ＣＰＵ１１は、「確定」ボタンが押下されると、表示中の画像Ａに付加された☆マークの数を、第１分類データとして画像データ管理テーブル１４Ａに記憶させ、画像Ａに換えて表示順が２番目の画像を画面に表示させる。ＣＰＵ１１は、このようにして分類対象の画像データを１つずつ順に全て表示し、ユーザによる分類データの入力を記憶した後、☆マークの数すなわち分類データの値の順に画像を並べ替えて画面に一覧表示させ、「終了」ボタンと「細かく分類」ボタンを表示させる（図４（ｃ）参照）。
【００３２】
図５は、分類対象の画像を一覧表示させて分類する第１分類処理を説明するための画面遷移例を示す図である。ＣＰＵ１１は、分類対象データテーブル１３Ａに記憶された表示順に従って、分類対象の画像のサムネイルと各画像データに付加された☆マークを一覧表示させ、更に「並べ替え」ボタンを表示させる（図５（ａ）参照）。ＣＰＵ１１は、何れかの画像上が押下されたと判別すると、押下された画像の近傍に☆マークを１つ追加表示させ、☆マーク上が押下されたと判別すると、表示されている☆マークの数を一つ減少させる（図５（ｂ）参照）。次いで、「並べ替え」ボタンの押下信号を検出すると、分類内容を確定し、付加された☆マークの数が多い順に画像を並べ替えて表示する。そして、各画像データに付加された☆マークの数を画像データ管理テーブル１４Ａに記憶させ、「終了」ボタンと「細かく分類」ボタンを表示させる（図４（ｃ）参照）。
【００３３】
ＣＰＵ１１は、再分類処理において、第１分類処理において分類内容が決定された画像データに付加された第１分類データを一度クリアした後、画像データに改めて第１分類データを付加し、画像データ管理テーブル１４Ａに記憶された第１分類データを更新する。
【００３４】
分類内容を設定する日時が異なると、ユーザが決定する画像データの分類の基準が異なる場合がある。再分類処理は、このような場合に改めて分類内容を決定して正確に画像データを分類することを目的とした処理である。
【００３５】
図６は、再分類処理を説明するための画面遷移例を示す図である。ＣＰＵ１１は、分類データテーブル１３Ａを参照して分類対象に指定された画像データに基づく画像のサムネイルを画面に一覧表示させるとともに、「再分類」ボタンを表示させ（図６（ａ）参照）、「再分類」ボタンが押下されると、各画像データに付加された☆マークを全てクリアして非表示にして、「並べ替え」ボタンを表示させる（図６（ｂ）参照）。次に、ＣＰＵ１１は、画面に表示された画像が押下されたと判別すると、押下された画像の近傍に☆マークを表示させる（図６（ｃ）参照）。更に「並べ替え」ボタンが押下されると、ＣＰＵ１１は分類内容を確定して画像データに付加された第１分類データを画像データ管理テーブル１４に記憶させ、「終了」ボタンと「細かく分類」ボタンを表示させる（図６（ｄ）参照）。
【００３６】
ＣＰＵ１１は、上述した第１分類処理又は再設定処理において表示画面１２の画面上に表示した「細かく分類」ボタンが押下されると、第２分類処理を開始する。ＣＰＵ１１は、第２分類処理において、第１分類データが付加された分類対象の画像データに第２分類データを付加することにより、画像データをより詳細に分類する。
【００３７】
図７は、第２分類処理を説明するための画面遷移例を示す図である。ＣＰＵ１１は、上記第１分類処理又は再分類処理において「細かく分類」ボタンが押下されると、「細かく分類」ボタンの変わりに「並べ替え」ボタンを表示装置１２に表示させる（図７（ａ）参照）。ＣＰＵ１１は、画面に表示された何れかの画像が押下されると、押下された画像の近傍に○マークを表示させる（図７（ｂ）参照）。次いで、「並べ替え」ボタンが押下されると、付加された☆マークの数が多い順に画像を並べ替え、更に同じ数の☆マークが付加された画像を○マークの数が多い順に並べ替えて表示させ、「終了」ボタンを表示せる（図７（ｃ）参照）。そして、ＣＰＵ１１は、分類内容を確定し、画像データに付加された○マークの数を画像データ管理テーブル１４Ａに記憶させる。
【００３８】
＜携帯情報端末１の動作＞
次に、図８〜図１１のフローチャートを参照して動作を説明する。ここで、以下のフローチャートに記述されている各機能を実現するためのプログラムは、読取可能なプログラムコードの形態で記憶媒体に格納されており、ＣＰＵ１１はこのプログラムコードに従った動作を逐次実行する。また、ＣＰＵ１１は伝送媒体を介して伝送されてきたプログラムコードに従った動作を逐次実行することもできる。即ち、記憶媒体の他、例えばインターネット等のネットワークを介して外部のファイルサーバ等から供給されたプログラムやデータを利用してこの実施の形態に特有の動作を実行することもできる。
【００３９】
図８は、分類対象の画像を１つずつ画面に表示させて分類する場合の第１分類処理を示すフローチャートである。図８に示す第１分類処理において、ＣＰＵ１１は分類対象データテーブル１３Ａに記憶された表示順が１番目の分類対象の画像とこの画像に付加された☆マークを画面に表示させる（ステップＳ１）。次に、画面が押下されたか否かを判別し（ステップＳ２）、押下されなければ（ステップＳ２；ＮＯ）、待機を続け、押下されると（ステップＳ２；ＹＥＳ）、画像上が押下されたか否かを判別する（ステップＳ３）。
【００４０】
ＣＰＵ１１は、画像上が押下されたと判別すると（ステップＳ３；ＹＥＳ）、画面の近傍に表示された☆マークの数が、画像データに付加可能な最多の数、即ち３つであるか否かを判別して（ステップＳ４）、表示された☆マークが３つであれば（ステップＳ４；ＹＥＳ）、ステップＳ２に戻り、２つ以下であれば（ステップＳ４；ＮＯ）、☆マークを１つ追加表示させ（ステップＳ５）、ステップＳ２に戻る。
【００４１】
一方、ＣＰＵ１１はステップＳ３において画像上が押下されたのではないと判別すると（ステップＳ３；ＮＯ）、☆マークが押下されたか否かを判別し（ステップＳ６）、☆マークが押下された場合には（ステップＳ６；ＹＥＳ）、表示されている☆マークの数を一つ減少させ（ステップＳ７）、ステップＳ２に戻る。一方、ＣＰＵ１１は、☆マークが押下されない場合には（ステップＳ６；ＮＯ）、そのままステップＳ８に移行する。
【００４２】
このように、ユーザは画像上ないし☆マークが表示されている部分を押下することにより、現在表示されている画像について☆マークの数を設定することができ、設定が終了したならば「確定」ボタンを押す。
【００４３】
ＣＰＵ１１は、ステップＳ８において、「確定」ボタンが押下されたか否かを判別し、押下されなければ（ステップＳ８；ＮＯ）、ステップＳ２に戻り、押下されると（ステップＳ８；ＹＥＳ）、分類対象の画像データが他に存在するか否かを判別する（ステップＳ９）。ＣＰＵ１１は、他に分類対象の画像データが存在する場合には（ステップＳ９；ＹＥＳ）、ステップＳ１に戻って次の表示順の画像データに基づく画像を表示させる。
【００４４】
一方、ＣＰＵ１１は、他に分類対象の画像データが存在しない場合には（ステップＳ９；ＮＯ）、分類対象の全画像データを、付加された☆マークが多い順に並べ替えて、分類対象の画像のサムネイルを表示装置１２に一覧表示させ、「終了」ボタンと「細かく分類」ボタンを表示させる（ステップＳ１０）。
【００４５】
続いて、ＣＰＵ１１は、分類対象の画像データに付加された☆マークの数を画像データ管理テーブル１４Ａに記憶させる（ステップＳ１１）。次いで、ＣＰＵ１１は、「細かく分類」ボタンが押下されたか否かを判別し（ステップＳ１２）、押下された場合は（ステップＳ１２；ＹＥＳ）、第２分類処理に移行する。一方、ＣＰＵ１１は、「細かく分類」ボタンが押下されないと（ステップＳ１２；ＮＯ）、「終了」ボタンが押下されたか否かを判別し（ステップＳ１３）、「終了」ボタンが押下されない場合には（ステップＳ１３；ＮＯ）、ステップＳ１２に戻り、押下されると（ステップＳ１３；ＹＥＳ）、第１分類処理を終了する。
【００４６】
図９は、分類対象の画像のサムネイルを一覧表示させて分類する場合の第１分類処理を説明するフローチャートである。図９に示す第１分類処理において、ＣＰＵ１１は、分類対象データテーブル１３Ａに記憶された表示順で、分類対象の画像のサムネイルを表示装置１２に一覧表示させる（ステップＳ２１）。次に、画面上が押下されたか否かを判別し（ステップＳ２２）、押下されなければ（ステップＳ２２；ＮＯ）、待機を続け、押下されると（ステップＳ２２；ＹＥＳ）、画像上が押下されたか否かを判別する（ステップＳ２３）。
【００４７】
ＣＰＵ１１は、画像上が押下されたと判別すると（ステップＳ２３；ＹＥＳ）、押下された画像の近傍に表示された☆マークの数が、画像データに付加可能な最多の数、即ち３つであるか否かを判別して（ステップＳ２４）、表示された☆マークが３つの場合には（ステップＳ２４；ＹＥＳ）、ステップＳ２２に戻り、２つ以下の場合には（ステップＳ２４；ＮＯ）、☆マークを１つ追加表示させ（ステップＳ２５）、ステップＳ２２に戻る。
【００４８】
一方、ＣＰＵ１１はステップＳ２３において画像上が押下されたのではないと判別した場合に（ステップＳ２３；ＮＯ）、☆マークが押下されたか否かを判別し（ステップＳ２６）、☆マークが押下されたと判別すると（ステップＳ２６；ＹＥＳ）、表示されている☆マークの数を一つ減少させ（ステップＳ２７）、ステップＳ２２に戻る。一方、☆マークが押下されたと判別しない場合には（ステップＳ２６；ＮＯ）、そのままステップＳ２８に移行する。
【００４９】
ＣＰＵ１１は、ステップＳ２８において、「並べ替え」ボタンが押下されたか否かを判別し、押下されなければ（ステップＳ２８；ＮＯ）、ステップＳ２２に戻り、押下されると（ステップＳ２８；ＹＥＳ）、サムネイルを☆マークの数が多い順に並べ替えて表示させるとともに、「終了」ボタンと「細かく分類」ボタンを表示させる（ステップＳ２９）。
【００５０】
続いて、ＣＰＵ１１は、分類対象の画像データに付加された☆マークの数を画像データ管理テーブル１４Ａに記憶させる（ステップＳ３０）。次いで、ＣＰＵ１１は、「細かく分類」ボタンが押下されたか否かを判別し（ステップＳ３１）、押下された場合は（ステップＳ３１；ＹＥＳ）、第２分類処理に移行する。一方、ＣＰＵ１１は、「細かく分類」ボタンが押下されない場合には（ステップＳ３１；ＮＯ）、「終了」ボタンが押下されたか否かを判別し（ステップＳ３２）、「終了」ボタンが押下されない場合には（ステップＳ３２；ＮＯ）、ステップＳ３１に戻り、押下されると（ステップＳ３２；ＹＥＳ）、第１分類処理を終了する。
【００５１】
図１０は、ＣＰＵ１１により実行される再分類処理を示すフローチャートである。図１０に示す再分類処理において、ＣＰＵ１１は分類対象データテーブル１３Ａに記憶された分類対象の画像と各画像に付加された☆マークとを表示装置１２の画面に一覧表示させる（ステップＳ４１）。ＣＰＵ１１は、「再分類」ボタンが押下されたか否かを判別し（ステップＳ４２）、押下されない場合は（ステップＳ４２；ＮＯ）、待機を続け、押下された場合は（ステップＳ４２；ＹＥＳ）、画像に付加された☆マークをクリアして、「並べ替え」ボタンを画面内に表示させる（ステップＳ４３）。
【００５２】
次いで、ＣＰＵ１１は、画面上が押下されたか否かを判別し（ステップＳ４４）、押下されなければ（ステップＳ４４；ＮＯ）、待機を続ける。一方、ＣＰＵ１１は画面上が押下されたと判別すると（ステップＳ４４；ＹＥＳ）、画像上が押下されたか否かを更に判別する（ステップＳ４５）。
【００５３】
次いで、ＣＰＵ１１は、画像上が押下されたと判別すると（ステップＳ４５；ＹＥＳ）、押下された画像の近傍に表示された☆マークの数が、画像データに付加可能な最多の数、即ち３つであるか否かを判別し（ステップＳ４６）、表示された☆マークが３つであれば（ステップＳ４６；ＹＥＳ）、ステップＳ４４に戻り、２つ以下であれば（ステップＳ４６；ＮＯ）、☆マークを１つ追加して表示させ（ステップＳ４７）、ステップＳ４４に戻る。
【００５４】
一方、ＣＰＵ１１は、ステップＳ４５において画像上が押下されたのではないと判別した場合（ステップＳ４５；ＮＯ）、☆マークが押下されたか否かを判別し（ステップＳ４８）、☆マークが押下されたと判別すると（ステップＳ４８；ＹＥＳ）、表示されている☆マークの数を一つ減少させ（ステップＳ４９）、ステップＳ４４に戻る。一方、ＣＰＵ１１は、☆マークが押下されたと判別しない場合には（ステップＳ４８；ＮＯ）、そのままステップＳ５０に移行する。
【００５５】
ＣＰＵ１１は、ステップＳ５０において「並べ替え」ボタンが押下されたか否かを判別し、押下されなければ（ステップＳ５０；ＮＯ）、ステップＳ４４に戻り、押下されると（ステップＳ５０；ＹＥＳ）、サムネイルを☆マークの数が多い順に並べ替えて表示させるとともに、「終了」ボタンと「細かく分類」ボタンを表示させる（ステップＳ５１）。
【００５６】
続いて、ＣＰＵ１１は、分類対象の画像データに付加された☆マークの数を画像データ管理テーブル１４Ａに記憶させる（ステップＳ５２）。次いで、ＣＰＵ１１は、「細かく分類」ボタンが押下されたか否かを判別し（ステップＳ５３）、押下された場合は（ステップＳ５３；ＹＥＳ）、第２分類処理に移行する。一方、ＣＰＵ１１は、「細かく分類」ボタンが押下されない場合には（ステップＳ５３）、「終了」ボタンが押下されたか否かを判別し（ステップＳ５４）、「終了」ボタンが押下されない場合には（ステップＳ５４；ＮＯ）、ステップＳ５３に戻り、押下されると（ステップＳ５４；ＹＥＳ）、再分類処理を終了する。
【００５７】
図１１は、ＣＰＵ１１により実行される第２分類処理を示すフローチャートである。図１１に示す第２分類処理において、ＣＰＵ１１は「並べ替え」ボタンを表示装置１２に表示させる（ステップＳ６１）。次に、画面上が押下されたか否かを判別し（ステップＳ６２）、押下されなければ（ステップＳ６２；ＮＯ）、待機を続け、押下されると（ステップＳ６２；ＹＥＳ）、画像上が押下されたか否かを判別する（ステップＳ６３）。
【００５８】
ＣＰＵ１１は、画像上が押下されたと判別すると（ステップＳ６３；ＹＥＳ）、押下された画像の近傍に表示された○マークの数が、画像データに付加可能な最多の数、即ち３つであるか否かを判別して（ステップＳ６４）、表示された○マークが３つであれば（ステップＳ６４；ＹＥＳ）、ステップＳ６２に戻り、２つ以下であれば（ステップＳ６４；ＮＯ）、○マークを１つ追加して表示させ（ステップＳ６５）、ステップＳ６２に戻る。
【００５９】
一方、ＣＰＵ１１はステップＳ６３において画像上が押下されたのではないと判別すると（ステップＳ６３；ＮＯ）、○マークが押下されたか否かを判別し（ステップＳ６６）、○マークが押下されたと判別すると（ステップＳ６６；ＹＥＳ）、表示されている○マークの数を一つ減少させ（ステップＳ６７）、ステップＳ６２に戻る。一方、○マークが押下されたと判別しない場合には（ステップＳ６６；ＮＯ）、そのままステップＳ６８に移行する。
【００６０】
ＣＰＵ１１は、ステップＳ６８において、「並べ替え」ボタンが押下されたか否かを判別し、押下されなければ（ステップＳ６８；ＮＯ）、ステップＳ６２に戻り、押下されると（ステップＳ６８；ＹＥＳ）、☆マークの数が多い順にサムネイルを並べ替えた後、同じ数の☆マークが付加されたサムネイル毎に○マークの数が多い順に並べ替えて表示させると同時に、「終了」ボタンを表示させる（ステップＳ６９）。
【００６１】
続いて、ＣＰＵ１１は、分類対象の画像データに付加された○マークの数を画像データ管理テーブル１４Ａに記憶させる（ステップＳ７０）。次いで、ＣＰＵ１１は、「終了」ボタンが押下されたか否かを判別し（ステップＳ７１）、「終了」ボタンが押下されない場合には（ステップＳ７１；ＮＯ）、待機を続け、押下されると（ステップＳ７１；ＹＥＳ）、再分類処理を終了する。
【００６２】
以上説明したように、上記第１の実施の形態において、携帯情報端末１のＣＰＵ１１は、分類対象の画像データを表示装置１２に表示させ、画像表示位置データと分類情報表示位置データを押下位置データと比較した比較結果に応じて、画像データに第１分類データ及び第２分類データを付加して分類する。従って、例えば、分類対象画像がたくさん存在し、それらの画像のサムネイルが一画面に表示しきれないような場合や、表示画面若しくは表示ウィンドウが小さく、画像サムネイルや画像アイコンが一画面に表示しきれない場合であっても、それらの画像を分類する際に、複数の頁を何度も行き来したりスクロールを繰り返し行ったりしながら分類操作を行う必要がなく、分類操作が簡便化され、分類作業に要する時間を短縮できる。また、画像を見ながら、その画像のタップすることで分類データを設定できるので、直感的に分かりやすく、操作しやすい画像の分類を行うことができる。
【００６３】
なお、上記第１の実施の形態において、第１分類データ及び第２分類データの数値が大きい順に画像を並べ替えて表示することとしたが、数値が少ない順に表示させることとしてもよい。
【００６４】
また、上記の第１の実施の形態においては、画像上が押下された場合に分類データすなわち☆マークを一つ増やし、☆マーク上が押下された場合に☆マークの表示を一つ減らすという操作を例にとって説明したが、逆に☆マーク上が押下された場合に☆マークを増加させ、画像上が押下された場合に☆マークを減少させるようにしても良い。また、画像の左半分が押下された場合と右半分が押下された場合で☆マークを増加または減少させたり、上半分と下半分で動作を変えるようにすることも可能であるし、まず画像を選択してから、別の領域に表示された「＋」「−」のボタンによって星の数を増減させるようにしてもよい。
【００６５】
また、上記第１実施の形態では、「０」から「３」の数値により第１分類データ及び第２分類データを示すこととしたが、分類データの数値はこれに限定されるものではない。また、第１分類データと第２の分類データは異なる範囲の値をとるように構成しても良いし、例えば文字データ等のデータであっても、アスキーコードその他の文字コードを表しているデータという観点から見れば、数値データの場合と同様に分類データとして用いることが可能である。さらに、分類データは、第１分類データ、第２分類データの２つに限られるものではなく、１種類のみの分類データを用いても良いし、３種類以上の分類データを用いるようにしても良い。
【００６６】
（第２の実施の形態）
＜携帯情報端末１の構成＞
以下、本発明を適用した第２の実施の形態について詳細に説明する。本第２の実施の形態では、分類対象の画像を表示装置１２に表示させた状態において画面上が押下されると、押下位置に応じて画像の表示サイズを変更し、各画像ごとに設定された画像の表示サイズに応じて画像データの分類を行う。そして、このために本第２の実施の形態では、各画像ごとに、後述する表示サイズ別分類データを設定・記憶するようにし、画像データ管理テーブル中にかかる情報を記憶するようにしている。
【００６７】
なお、本第２の実施の形態における携帯情報端末１の構成は上記第１の実施の形態における携帯情報端末１と同様の構成を有するため、同一の機能的構成部には同一の符号を付し、重複する説明は省略する。
【００６８】
ＣＰＵ１１は、操作入力部１２ａからの入力によって分類対象の画像データが指定されると、指定された画像データの表示サイズ別分類データとを記憶装置１４内の画像データ管理テーブル１４Ｂから読み出し、表示サイズ別分類データの数値が大きい順に画像データの表示順を決定し、表示サイズ別分類データに設定されているサイズで各画像を表示する。分類対象の画像データに分類データが付加されていない場合は、画像データ管理テーブル１４Ｂに記憶された編集日時やファイル名に基づいて画像データの表示順を決定し、例えば総ての画像を同じ大きさで表示するように構成する。
【００６９】
次いで、ＣＰＵ１１は、分類対象の画像データのファイル名と、表示順と、表示サイズ別分類データの数値をＲＡＭ１３内の分類対象データテーブル１３Ｂ（図１２参照）に記憶させる。また、ＣＰＵ１１は、分類対象の画像を、分類対象データテーブル１３Ｂに記憶された表示順で表示装置１２の画面に一覧表示させる。そして、記憶装置１４から表示サイズ別分類処理プログラムを読み出して後述する表示サイズ別分類処理を実行する。
【００７０】
図１４は、表示サイズ別分類処理において、表示装置１２に表示される画面の遷移例を示す図である。ＣＰＵ１１は、表示サイズ別分類処理において、画像を個別に表示させるための表示枠と「並べ替え」ボタンを表示装置１２の画面に表示させ、分類対象データテーブル１３Ｂに記憶された表示順に従って、分類対象の画像を表示枠内にサムネイル表示させる（図１４（ａ）参照）。なお、図１４（ａ）に示す例では、表示サイズ別分類処理を初めて実行した場合の例として、各画像を同じ大きさで表示した場合を示してある。このとき、初期設定として各分類対象画像の表示サイズ別分類データをあらかじめ同じ値に設定するようにしておけば、通常の場合と同様に表示サイズ別分類データで指定されるサイズで各画像を表示するという処理により実現することが可能である。
【００７１】
ＣＰＵ１１は、表示枠内が押下されたことを検出すると、表示中の画像の端部が押下位置に重なるように画像データを拡大又は縮小して表示させる（図）１４（ｂ）参照）。次いで、ＣＰＵ１１は、「並べ替え」ボタンが押下されると、表示サイズが大きい順に画像を並べ替えて表示させる（図１４（ｃ）参照）。また、画像データの表示サイズを画像データの表示サイズ別分類データとして記憶装置１４内の画像データ管理テーブル１４Ｂ（図１３参照）に記憶する。
【００７２】
図１５は、画像の表示サイズを拡大又は縮小させる手順を説明するための図である。ＣＰＵ１１は、図１５（ａ）に示すように表示枠内の画像データ外が押下されると、押下された位置に画像データの端部が重なるように画像の表示サイズを拡大する。一方、ＣＰＵ１１は、図１５（ｂ）に示すように画像データ上が押下されると、押下された位置に画像データの端部が重なるように画像の表示サイズを縮小する。なお、この画像サイズの決定操作については、他にも、例えば、各画像の端点や角の点を押下した後、押下したままで位置をずらす、いわゆる「ドラッグ」の操作によって画像を拡大・縮小するようにしても良い。
【００７３】
記憶装置１４は、プログラムやデータ等が記憶されている記憶媒体（図示せず）を有しており、この記憶媒体は、携帯情報端末１に対応する各種制御プログラム、表示サイズ別分類処理プログラムなどの各プログラム、複数の画像データ、画像データ管理テーブル１４Ｂ（図１３参照）などのデータ、各プログラムに基づいてＣＰＵ１１により実行された処理の処理結果などの一時記憶データ等を記憶する。
【００７４】
図１３は、記憶装置１４に格納された画像データ管理テーブル１４Ｂを示す図である。画像データ管理テーブル１４Ｂは、記憶装置１４に格納された複数の画像データを管理するためのテーブルである。図１３に示すように、画像データ管理テーブル１４Ｂには、記憶装置１４に格納された全画像データのファイル名と、画像データの撮影日時と、データサイズと、表示サイズ別分類データの数値とが各画像ごとに対応付けて記憶されている。
【００７５】
＜携帯情報端末１の動作＞
次に、動作を説明する。
図１６は、ＣＰＵ１１により実行される表示サイズ別分類処理を示すフローチャートである。図１６に示す表示サイズ別分類処理において、ＣＰＵ１１は、分類対象データテーブル１３Ａに記憶された表示順に従って、分類対象の画像を表示サイズ別分類データの数値に基づくサイズで個別の表示枠内に表示させる（ステップＳ１０１）。次いで、ＣＰＵ１１は、画面上が押下されたか否かを判別し（ステップＳ１０２）、押下されなければ（ステップＳ１０２；ＮＯ）、待機を続け、押下されると（ステップＳ１０２；ＹＥＳ）、何れかの画像の表示枠内が押下されたか否かを判別する（ステップＳ１０３）。
【００７６】
ＣＰＵ１１は、何れかの画像の表示枠内が押下されたと判別すると（ステップＳ１０３；ＹＥＳ）、押下位置に画像の端部が重なるように画像の表示サイズを拡大又は縮小して表示させ（ステップＳ１０４）、ステップＳ１０２に戻る。一方、ＣＰＵ１１は、何れかの画像の表示枠内が押下されたと判別しない場合には（ステップＳ１０３；ＮＯ）、「並べ替え」ボタンが押下されたか否かを判別し（ステップＳ１０５）、押下されなければ（ステップＳ１０５；ＮＯ）、ステップＳ１０２に戻り、押下されると（ステップＳ１０５；ＹＥＳ）、表示サイズ順に画像を並べ替えて表示させるとともに、「終了」ボタンを表示させる（ステップＳ１０６）。
【００７７】
次いで、ＣＰＵ１１は、各画像の表示サイズを表示サイズ別分類データとして画像データ管理テーブル１４Ｂに記憶させる（ステップＳ１０７）。続いてＣＰＵ１１は、「終了」ボタンが押下されたか否かを判別し（ステップＳ１０８）、押下されなければ（ステップＳ１０８；ＮＯ）、待機を続け、押下されると（ステップＳ１０８；ＹＥＳ）、表示サイズ別分類処理を終了する。
【００７８】
なお、上記表示サイズ別分類処理において、表示サイズ別分類データに基づく表示サイズで画像を表示することとしたが、画像とともに表示サイズ別分類データの数値を表示装置１２の画面に表示することとしてもよい。
【００７９】
以上説明したように、上記第２の実施の形態において、携帯情報端末１のＣＰＵ１１は、画像表示位置データ及び表示枠表示位置データを押下位置データと比較した比較結果に基づいて、表示装置１２の画面上に表示された画像の表示サイズを変更し、表示サイズに応じて画像データを分類する。従って、例えば、分類対象画像がたくさん存在し、それらの画像のサムネイルが一画面に表示しきれないような場合や、表示画面若しくは表示ウィンドウが小さく、画像サムネイルや画像アイコンが一画面に表示しきれない場合であっても、それらの画像を分類する際に、複数の頁を何度も行き来したりスクロールを繰り返し行ったりしながら分類操作を行う必要がなく、分類操作が簡便化され、分類作業に要する時間を短縮できる。また、画像の表示サイズによって画像データを分類するため、分類内容を目で見て確認しながら分類でき、分かりやすく直感的な操作を実現できる。
【００８０】
なお、上記第２の実施の形態においては、表示サイズ別分類データの数値が大きい順に画像を並べ替えて表示することとしたが、数値が少ない順に表示してもよい。
【００８１】
また、上記第２の実施の形態でＣＰＵ１１により実行される表示サイズ別分類処理によって分類された画像データについて、第１の実施の形態で説明した再分類処理を実行し、一度分類した画像データの表示サイズ別分類データをクリアしてから再設定したり、第１の実施の形態で説明した第２分類処理を実行し、一度分類した画像データに第２分類データを付加して細かく分類することも可能である。
【００８２】
また、上記の各実施の形態において、ＰＤＡ等の携帯情報端末１を例示して説明を行ったが、例えば、ＰＣ（Ｐｅｒｓｏｎａｌ  Ｃｏｍｐｕｔｅｒ）等の情報処理装置やデジタルカメラ等の撮影装置に本発明を適用することも可能である。
【００８３】
これらの各装置で本発明を適用した場合の例を図１７に示す。本発明をデジタルカメラに適用した場合は、例えば図１７（ａ）に示すように、カメラ本体に付属の液晶等の表示部に画像を表示して、本発明を実施することが可能である。また、静止画カメラに限らず、デジタルムービーカメラに本発明を適用することも可能であり、その場合にも本体に付属の液晶等の表示部を用いて実施することができる。これらの場合、カメラの表示部がタッチパネルになっていて、直接各画像上をクリック（押下）して操作できるようになっていると、操作性の面からは優れているが、上下左右及び決定・キャンセルなどのボタンを用いる方法によっても実施することは可能である。
【００８４】
また、図１７（ｂ）に示すように、近年急速に普及しているカメラ付き携帯電話装置に本発明を適用することも可能である。デジタルカメラや携帯電話等の携帯情報機器は一般に携帯して使用することを前提に作られているため、表示部が非常に小さい場合が多く、一般的には操作性が劣る場合が多い。従ってこれらの機器に本発明を適用することにより、必要以上に画面を切り替えるなどの複雑な操作が不要となり、簡単な操作で画像などのファイルの整理が行えるようになる。
【００８５】
さらに、図１７（ｃ）に示すように、一般のパーソナルコンピュータ等に適用することももちろん可能であり、このようにすることにより、画像データの分類作業を直感的でわかりやすいものにするとともに分類作業に要する時間を短縮することができる。
【００８６】
更に、上記の各実施の形態において、分類データを数値で示す例について主に説明したが、例えば、文字や記号等の昇順又は降順で並べ替え可能な要素を分類データとして使用することも可能である。
【００８７】
また、上記の各実施の形態において、例えば、文字、数字、記号等の所定形状を記憶装置１４に記憶させておき、ＣＰＵ１１が表示装置１２に表示された画像上の押下信号をパターン認識や画像認識するなどして、押下信号が上記所定形状と一致した場合に、入力された形状に応じて画像を分類してもよい。例えば、表示中の画像上で「＋」が入力されると、ＣＰＵ１１がこの形状を認識して分類データの数値を１増加させ、「−」が入力されると、分類データの数値を１減少させたり、或いは「１」が入力されると分類データの数値を１に設定し、「２」が入力されると分類データの数値を２に設定するという手順で画像を分類してもよい。
【００８８】
さらに、画像表示部分とは別の領域に「＋」「−」などのボタンを表示させ、まず、画像上を押下するなどによって設定対象画像を選んでから、「＋」「−」のボタンが押されたときに、設定対象画像の☆マークの数ないし画像の表示サイズを変化させていく、という方法によっても、各画像の分類データの指定を行うことができる。
【００８９】
その他、携帯情報端末１の細部構成、及び細部動作に関しても、本発明の趣旨を逸脱することのない範囲で適宜変更可能である。
【００９０】
【発明の効果】
請求項１記載の発明によれば、情報処理装置における画像データの分類作業を直感的でわかりやすいものにするとともに、分類作業に要する時間を短縮することが可能である。
【図面の簡単な説明】
【図１】本発明を適用した第１及び第２の実施の形態による携帯情報端末１の機能的構成を示すブロック図である。
【図２】第１の実施の形態において図１のＲＡＭ１３に記憶された分類対象データテーブル１３Ａを示す図である。
【図３】第１の実施の形態において図１の記憶装置１４に記憶された画像データ管理テーブル１４Ａを示す図である。
【図４】図１のＣＰＵ１１により実行される第１分類処理において、分類対象の画像を１つずつ表示させて分類する場合の画面遷移例を示す図である。
【図５】図１のＣＰＵ１１により実行される第１分類処理において、分類対象の画像を一覧表示させて分類する場合の画面遷移例を示す図である。
【図６】図１のＣＰＵ１１により実行される再分類処理における画面遷移例を示す図である。
【図７】図１のＣＰＵ１１により実行される第２分類処理において、表示装置１２に表示される画面の遷移例を示す図である。
【図８】図１のＣＰＵ１１により実行される、分類対象の画像を１つずつ表示させて分類する場合の第１分類処理を示すフローチャートである。
【図９】図１のＣＰＵ１１により実行される、分類対象の画像のサムネイルを一覧表示させて分類する場合の第１分類処理を示すフローチャートである。
【図１０】図１のＣＰＵ１１により実行される再分類処理を示すフローチャートである。
【図１１】図１のＣＰＵ１１により実行される第２分類処理を示すフローチャートである。
【図１２】第２の実施の形態において図１のＲＡＭ１３に記憶された分類対象データテーブル１３Ｂを示す図である。
【図１３】第２の実施の形態において図１の記憶装置１４に記憶された画像データ管理テーブル１４Ｂを示す図である。
【図１４】図１のＣＰＵ１１により実行される表示サイズ別分類処理における画面遷移例を示す図である。
【図１５】図１のＣＰＵ１１により実行される表示サイズ別分類処理において、画像の表示サイズを拡大又は縮小する手順を説明する図である。
【図１６】図１のＣＰＵ１１により実行される表示サイズ別分類処理を示すフローチャートである。
【図１７】本発明を、デジタルカメラ、カメラ付き携帯電話、パーソナルコンピュータなどの種々の情報処理装置に適用した場合の例を示す図である。
【符号の説明】
１  携帯情報端末
１１  ＣＰＵ
１２  表示装置
１２ａ  操作入力部
１３  ＲＡＭ
１４  記憶装置
１５  バス
【図１】
2004164412.tif 000003
【図２】
2004164412.tif 000004
【図３】
2004164412.tif 000005
【図４】
2004164412.tif 000006
【図５】
2004164412.tif 000007
【図６】
2004164412.tif 000008
【図７】
2004164412.tif 000009
【図８】
2004164412.tif 000010
【図９】
2004164412.tif 000011
【図１０】
2004164412.tif 000012
【図１１】
2004164412.tif 000013
【図１２】
2004164412.tif 000014
【図１３】
2004164412.tif 000015
【図１４】
2004164412.tif 000016
【図１５】
2004164412.tif 000017
【図１６】
2004164412.tif 000018
【図１７】
2004164412.tif 000019